(57)【特許請求の範囲】
【請求項１】
口金付き容器の口金の口に配置されるための口金プラグ（31, 60, 90）を有し、かつ、前記口金プラグ（31, 60, 90）内に形成されたプラグ凹部（51, 64, 96）を封止するためのシールキャップ（11）を有する、口金付き容器のための口金プラグクロージャー（30）であって、
前記プラグ凹部（51, 64, 96）は、前記シールキャップ（11）に形成された弾力性のある係合体（20）を収容するための収容領域を備え、
前記口金プラグ（31, 60, 90）は、ツール係合部（33）を備え、
前記ツール係合部（33）は、前記プラグ凹部（51, 64, 96）の内壁（41）に配置され、ギャップ（34）によって互いに離されて置かれ、前記係合体（20）を前記プラグ凹部（51, 64, 96）に挿入するときに前記係合体（20）の環状ロック突起部（21）を軸方向に案内するためのガイド面を少なくとも部分的に形成する内面（37）を用いて前記収容領域の範囲を定め、
前記係合体（20）の前記環状ロック突起部（21）を前記口金プラグ（31, 60, 90）にロックするためのカウンターロッキング要素（32）が前記プラグ凹部（51, 64, 96）に備えられ、
前記カウンターロッキング要素（32）は、ロックした後、前記係合体（20）の前記環状ロック突起部（21）に対して半径方向内側に向かって突出し、
前記環状ロック突起部（21）が環状フレーム（35, 61）によって受け入れられるように、前記環状フレーム（35, 61）の上方の前記ギャップ（34）の領域に、前記カウンターロッキング要素（32）が配置され、前記環状フレーム（35, 61）は、前記内面（37）の下部（36）によって前記ギャップ（34）の外に形成される
ことを特徴とする口金プラグクロージャー（30）。
【請求項２】
前記環状フレーム（35, 61）は、前記プラグ凹部（51, 64, 96）の凹部底部（44, 92）の周縁部（43）によって、下方の範囲が定められる
ことを特徴とする請求項１の口金プラグクロージャー。
【請求項３】
前記凹部底部（44, 92）の前記周縁部（43）は、底部くぼみ（45）を形成するために底部床面（46,94）に対して高くなっている
ことを特徴とする請求項２の口金プラグクロージャー。
【請求項４】
前記環状フレーム（35）が、前記ギャップ（34）において形成された支持プラットフォーム（39）の前面（38）によって前記ギャップ（34）の領域において形成されるように、前記環状フレーム（35）は、半径方向外側に向かって伸びるプラットフォーム面（40）によって前記ギャップ（34）の領域において上方の範囲が定められる
ことを特徴とする請求項１〜３のいずれか１項の口金プラグクロージャー。
【請求項５】
前記ギャップ（34）の領域に形成された前記支持プラットフォーム（39）の前記プラットフォーム面（40）は、半径方向内側に向かって伸びて前記口金プラグ（31）の内壁（41）に形成された支持カラー（42）によって形成される
ことを特徴とする請求項４の口金プラグクロージャー。
【請求項６】
前記環状フレーム（61）は、前記ギャップ（34）の領域で、前記ツール係合部（33）を互いに接続するブリッジ（62）と、前記ブリッジ（62）間に備える材料くぼみ（63）と、前記プラグ凹部（64）の前記内壁（41）とによって形成される
ことを特徴とする請求項１〜３のいずれか１項の口金プラグクロージャー。
【請求項７】
前記プラグ凹部（96）の前記内壁（41）から半径方向内側に向かって突出するブリッジ（91）が、前記ギャップ（34）に形成される
ことを特徴とする請求項１〜６のいずれか１項の口金プラグクロージャー。
【請求項８】
前記ギャップ（34）の領域において、前記口金プラグ（31, 60, 90）は、前記カウンターロッキング要素（32）から、前記環状フレーム（35, 61）と、前記凹部底部（44, 92）の前記周縁部（43）と、前記底部床面（46, 94）への移行部においてステップ状に形成されたスリーブ状のショルダー（47, 93）とに向かって、半径方向内側に向かって低くなるプラグ断面（48）を備える
ことを特徴とする請求項３の口金プラグクロージャー。
【請求項９】
前記ツール係合部（33）は、周縁隆起部（49）を、くぼみ（52）が前記周縁隆起部（49）と前記プラグ凹部（51）の前記内壁（41）の上部周縁部（50）との間に形成されるように、前記内面（37）の上端に備える
ことを特徴とする請求項１〜８のいずれか１項の口金プラグクロージャー。
【発明の詳細な説明】
【技術分野】
【０００１】
本発明は、口金付き容器の口金の口に配置されるための口金プラグを有し、かつ、前記口金プラグ内に形成されたプラグ凹部を封止するためのシールキャップを有する、口金付き容器のための口金プラグクロージャーに関する。プラグ凹部は、シールキャップに形成された弾力性のある係合体を収容するための収容領域を備え、口金プラグは、ツール係合部を備え、ツール係合部は、プラグ凹部の内壁に配置され、ギャップによって互いに離されて置かれ、係合体を前記プラグ凹部に挿入するときに係合体の環状ロック突起部を軸方向に案内するためのガイド面を少なくとも部分的に形成する内面を用いて収容領域の範囲を定め、係合体の環状ロック突起部を口金プラグにロックするためのカウンターロッキング要素がプラグ凹部に備えられ、カウンターロッキング要素は、ロックした後、係合体の環状ロック突起部に対して半径方向内側に向かって突出する。
【発明の概要】
【０００２】
上述のようなプラグクロージャーは、EP 2 144 821 B1から知られている。係合体の環状ロック突起部を口金プラグにロックするために、カウンターロッキング要素が口金プラグのツール係合部の内面に備えられ、カウンターロッキング要素は、ロック後、係合体の環状ロック突起部に対して半径方向内側に向かって突出する。ツール係合部間に形成されたギャップの領域において、係合体の環状ロック突起部が上からアクセス可能な係合領域に突出するので、適切に形成された不正操作ツールが口金プラグに配置されたシールキャップの下で係合することが可能になり、環状ロック突起部をツール係合部の内面に形成されたカウンターロッキング要素で弾力性のある係合から取り外して、キャップの蓋の中に形成された所定の破断デバイスを損傷することなく口金プラグからシールキャップを取り除くために、係合体の環状ロック突起部を半径方向内側に向かって変形させることが可能になる。
【０００３】
よって、口金プラグを不正操作することが、シールキャップ上で外部から識別されずに可能となるので、不正操作に対する所望の安全性がシールキャップによっては達成できない。
【０００４】
したがって、本発明の目的は、不正操作に対してより高い安全性を有する口金プラグクロージャーを提案することである。
【０００５】
この目的を達成するために、本発明による口金プラグクロージャーは、請求項１の特徴を備える。
【０００６】
本発明によると、前記環状ロック突起部が環状フレームによって受け入れられるように、前記環状フレームの上方の前記ギャップの領域に、前記カウンターロッキング要素が配置され、前記環状フレームは、前記ツール係合部の前記内面の下部によって前記ギャップの外に形成される。
【０００７】
本発明によると、環状ロック突起部を受け入れる環状フレームの上方のギャップの領域においてカウンターロッキング要素を有する口金プラグの実施形態は、ギャップの領域において係合体のロック突起部にアクセスするのを妨げる。更に、力がロック突起部に半径方向に働くときに、フレーム上で少なくとも部分的にロック突起部が自身を支持するので、係合体の環状ロック突起部を環状に囲むフレームは、特にギャップの領域において変形障害物を形成し、そのため、不正操作を試みてツールを利用した結果、ギャップの領域においてカウンターロッキング要素を破壊するときでさえ、環状ロック突起部を変形させることが著しくより困難になる。
【０００８】
この有利な効果は、フレームがあらゆる場合に連続して形成されることを前提とするのではなく、少なくとも部分的にフレームがギャップ間に形成されるときに生じ、その結果、環状ロック突起部を変形させることが不正操作される毎に妨げられる。よって、この効果は、フレームに領域が少なくとも部分的に形成されるときにも有効である。したがって、この効果は、空間がフレーム内の部分に形成されるときにも生じる。更に、環状フレームの有利な効果が係合体のロック突起部を受け入れるための不変の直径を有することは、必要ではない。係合体の変形を妨げる効果が得られる限り、フレームは収容領域に突出する又はそこから後退するセグメントも有し得る。
【０００９】
係合体の環状ロック突起部と同様に、環状フレームは特にセグメントで構成され、セグメントは、環状に配置され、一般的な環状の形状を保持する。
【００１０】
変形を妨げるフレームの効果を著しく限定することなく、ギャップの領域に形成されるフレームのスペースがどのくらいの大きさであり得るかは、とりわけ、係合体の環状ロック突起部の不変形性に依存する。
【００１１】
好ましくは、前記環状フレームは、前記プラグ凹部の凹部底部の周縁部によって、下方の範囲が定められ、その結果、係合体の環状ロック突起部を半径方向に変形させることがフレームによってより困難になるだけではなく、環状ロック突起部に下から係合することも、特に環状ロック突起部が凹部底部の周縁部に支えられているときには、更に妨げられる。
【００１２】
好ましくは、前記凹部底部の前記周縁部は、底部くぼみを形成するために底部床面に対して高くなっていて、その結果、プラグ凹部は周縁部を超えて下方に伸び、口金プラグに形成された底部くぼみは、例えば口金プラグキーのガイドピンを受け入れるために、口金プラグキーのための拡大された係合領域又はガイド領域を形成し、口金プラグキーはシールキャップを除去した後に口金プラグを除去するのに役立つ。
【００１３】
特定の実施形態において、前記環状フレームが、前記ギャップにおいて形成された支持プラットフォームの前面によって前記ギャップの領域において形成されるように、前記環状フレームは、半径方向外側に向かって伸びるプラットフォーム面によって前記ギャップの領域において上方の範囲が定められる。この状況において、支持プラットフォームは、ギャップの領域においてフレームの特有の剛性を確実にする。
【００１４】
前記ギャップの領域に形成された前記支持プラットフォームの前記プラットフォーム面が、半径方向内側に向かって伸びて前記口金プラグの内壁に形成された支持カラーによって形成されるときに、支持プラットフォームの特に剛性の高い実施形態が可能になる。
【００１５】
特に好ましい他の実施形態によると、前記環状フレームは、前記ギャップの領域で、前記ツール係合部を互いに接続するブリッジと、前記ブリッジ間に備える材料くぼみと、前記プラグ凹部の前記内壁とによって形成され、その結果、効果的な変形障害物が、変形障害物を形成する材料の使用を同時に最小化しながら、ギャップの領域においてブリッジによって形成される。
【００１６】
もし、前記プラグ凹部の前記内壁から半径方向内側に向かって突出するブリッジが、前記ギャップに形成されるなら、不正操作ツールをギャップに上から挿入しようとするときに、ブリッジは挿入障害物を形成する。更に、口金プラグキーをプラグ凹部において中央に配置することによって、口金プラグをねじ込む又はねじって抜くために、キーのトルクが口金プラグのツール係合部に理想的に伝達され得るようにすることが実現され得る。
【００１７】
もし、前記ギャップの領域において、前記口金プラグが、前記カウンターロッキング要素から、前記フレームと、前記凹部底部の前記周縁部と、前記底部床面への移行部においてステップ状に形成されたスリーブ状のショルダーとに向かって、半径方向内側に向かって低くなるプラグ断面を備えるなら、成形プロセス、例えば射出成形において口金プラグを製造するための材料の使用を最少にすることを要求しながら、口金プラグの実質的な固有安定性が有効になる。
【００１８】
もし、前記口金プラグの前記ツール係合部が、周縁隆起部を、くぼみが前記周縁隆起部と前記プラグ凹部の前記内壁の上部周縁部との間に形成されるように、前記内面の上端に備えるなら、一方では、不正操作ツールをプラグ凹部に挿入しようと試みるとき、他の挿入障害物が高い所にあるエッジのブリッジによって形成され、他方では、くぼみによって、第１口金プラグに配置された第２口金プラグの下端を受け入れることが可能になり、その結果、口金プラグを口金の口に、その後に行われる自動ねじ込みのために自動的に供給するときに、口金プラグの保管を容易にするために複数の口金プラグの規定された積み重ね配置を可能にする積み重ね補助が形成される。
【００１９】
以下では、口金プラグクロージャーの好ましい実施形態が、図面を介して更に説明される。
【図面の簡単な説明】
【００２０】
【図１】図１は、従来技術による口金プラグクロージャーを等角投影図法の部分断面図で示す。
【図２】図２は、口金プラグを有する本発明による口金プラグクロージャーの実施形態を、第１実施形態において等角投影図法の部分断面図で示す。
【図３】図３は、図２に示された口金プラグを単独で示す。
【図４】図４は、図３に示された口金プラグの平面図を示す。
【図５】図５は、図４の切断線V−Vによる、図３に示された口金プラグの断面図を示す。
【図６】図６は、他の実施形態による口金プラグを示す。
【図７】図７は、図６に示された口金プラグの平面図を示す。
【図８】図８は、図７の切断線VIII−VIIIによる、図６に示された口金プラグの断面図を示す。
【図９】図９は、口金プラグの他の実施形態を示す。
【図１０】図１０は、図９に示された口金プラグの平面図を示す。
【図１１】図１１は、図１０の切断線IX−IXによる、図９に示された口金プラグの断面図を示す。
【発明を実施するための形態】
【００２１】
図１は、口金プラグ（Spundstopfen）１０に配置されたシールキャップ１１を有する、従来技術による口金プラグクロージャー（Spundstopfenverschluss）を示す。口金プラグ１０は、ここでは更に図示されない口金の口（Spundstutzen）にねじ込まれるための外側のねじ山１２を備える。口金プラグ１０は、プラグ凹部１３の内壁１４に形成されギャップ１６によって互いに離されて置かれたツール係合部１５を有するプラグ凹部１３を備える。口金プラグ１０をねじ込む又はねじって抜くときに口金プラグ１０へキーのトルクを伝達するために、プラグ凹部１３に挿入されここでは更に図示されない口金プラグキー（口金プラグツール）の放射状に配置された駆動部に接する働きをする駆動面１７によって、ギャップ１６は、口金プラグ１０の周方向において範囲が定められる。
【００２２】
更に、図１から分かるように、ツール係合部１５は、係合体２０を収容するために凹内面１８を使用して、プラグ凹部１３内に形成された収容領域１９の範囲を定め、係合体２０はシールキャップ１１に配置され、係合体２０はその下端に環状ロック突起部２１を備える。環状ロック突起部２１を口金プラグ１０にロックするために、従来技術による口金プラグ１０は、ガイド面２２の下の内面１８にカウンターロッキング要素２３を備え、ガイド面２２は、係合体２０をプラグ凹部１３に挿入するときに環状ロック突起部２１を軸方向に案内する役割を果たす。図１が明瞭に示しているように、カウンターロッキング要素２３は、係合体２０の環状ロック突起部２１との間でロックした後に、半径方向内側に向かって環状ロック突起部２１に対して突出し、その結果、シールキャップ１１が口金プラグ１０から取り外されるのをロックが防止する。
【００２３】
図１による断面図から分かるように、図１に示された口金プラグ１０の実施形態によって、カウンターロッキング要素２３の下でツール係合部１５の内面１８のみにおいて、係合体２０の環状ロック突起部２１を半径方向に支持し、又はそれに接触することが可能になるのに対して、図１において破線で示されているアクセスパス２４によって示されているように、環状ロック突起部２１はギャップ１６の領域で支持されておらず、更に半径方向の外側から自由にアクセス可能である。
【００２４】
よって、アクセスパス２４を通って、適切に形成された不正操作ツールが、シールキャップ１１の下端２５の下で係合すること、キャップ底面２６と口金プラグ１０の周縁部２７との間のギャップ１６に挿入されること、及び、環状ロック突起部２１を変形させるために係合体２０の環状ロック突起部２１に対して半径方向内側に向かって押し付けられることができ、その結果、シールキャップ１１の係合体２０と口金プラグ１０との間のロックが少なくとも周辺の部分において解除されることができ、その後、所定の破断デバイス２８が損傷を受けることなくシールキャップ１１が口金プラグ１０から取り外され得る。所定の破断デバイス２８は、不正操作時の損傷を示すことになっており、キャップ底面２６と係合体２０との間の接続領域においてキャップ底面２６に形成されている。
【００２５】
ギャップ１６が、環状ロック突起部２１が変形して入り込める回避領域を形成するので、キャップ底面２６の面内で、半径方向外側に向かってキャップ底面２６に作用する圧縮力Ｆは、環状ロック突起部２１とカウンターロッキング要素２３との間のロックを十分に解除するために、ある状況において十分であり得る。
【００２６】
図２は、図１に示された従来技術による口金プラグクロージャーとは異なる、本発明による口金プラグクロージャー３０の実施形態を、口金プラグ３１の異なる実施形態によって示す。口金プラグ３１は、図３〜５に単独で図示されている。
【００２７】
特に図３〜５の概要によって明瞭にされるように、口金プラグ３１は、カウンターロッキング要素３２を備える。カウンターロッキング要素３２は、ツール係合部３３を分離するギャップ３４の外のツール係合部３３の内面３７の下部３６によって形成された環状フレーム３５の上方に配置されている。内面３７は、好ましくは凹面状に形成されている。したがってフレーム３５は、内面３７の下部３６を、図３〜５に示された口金プラグ３１の実施形態の場合にギャップ３４によって形成された支持プラットフォーム３９の前面３８によって形成された、ギャップ３４の領域内の更なる部分と同様に、備える。特に図４及び５から分かるように、示された実施形態の場合において、フレーム３５は、均一な曲率半径ｒを有する連続した周囲のシリンダジャケット面として、口金プラグ３１の中心軸Ｍに基づいて形成される。
【００２８】
図２が示すように、この例においては内面３７の下部３６によって形成された環状フレーム３５と、支持プラットフォーム３９の前面３８と、のおかげで変形障害物が得られ、変形障害物は、半径方向外側に向かって作用する環状ロック突起部２１の変形を妨げる。更に、ツール係合部３３間に形成されたギャップ３４内のカウンターロッキング要素３２の配置は、シールキャップ１１の係合体２０の環状ロック突起部２１がギャップ３４を経由して不正操作によってアクセスされるのを防止する。
【００２９】
図３〜５の概要が示すように、環状フレーム３５は、ギャップ３４の領域においてプラットフォーム面４０によって上方の範囲が定められる。プラットフォーム面４０は、半径方向外側に向かって伸びており、半径方向内側に向かって伸びて部分的に口金プラグ３１の内壁４１に形成される支持カラー４２を形成する（図４）。
【００３０】
環状フレーム３５は、凹部底部４４の周縁部４３によって下方の範囲が定められており、周縁部４３は、底部くぼみ４５を形成するために底部床面４６に対して高くなっている。特に図５から分かるように、口金プラグ３１は、ギャップ３４の領域において、カウンターロッキング要素３２から、フレーム３５と、凹部底部４４の周縁部４３と、底部床面４６への移行部においてステップ状に形成されたスリーブ状のショルダー４７とに向かって、半径方向内側に向かって低くなるプラグ断面４８を備える。
【００３１】
図３〜５の概要において更に分かるように、ツール係合部３３は、やはり好ましくは凹面の内面３７の上端に、くぼみ５２が周縁隆起部４９と口金プラグ３１のプラグ凹部５１の上部周縁部５０との間に形成されるように、周縁隆起部４９を備える。
【００３２】
図６〜８では、口金プラグクロージャー３０を形成するために、図２〜５によって上述された口金プラグ３１と同様に、図２に示されたシールキャップ１１と組み合わせられ得る他の実施形態において、口金プラグ６０が示されている。概して一致する実施形態において、よって本質的に同一の特徴のため同一の参照番号を有する口金プラグ６０の構成要素とともに、口金プラグ６０は、口金プラグ３１のフレーム３５からは異なるフレーム６１を備え、フレーム６１は、ギャップ３４の領域でツール係合部３３を互いに接続するブリッジ（Steg）６２と、ブリッジ６２間に備える材料くぼみ６３と、プラグ凹部６４の内壁４１とを備える。したがってフレーム６１は、ツール係合部３３の内面３７の下部３６と、ツール係合部３３間に形成されたブリッジ６２とで構成されており、カウンターロッキング要素３２がブリッジ６２の上端に形成されている。
【００３３】
図９〜１１では、図２〜５を参照して詳細に説明された口金プラグ３１と比べて、ギャップ３４においてプラグ凹部９６の内壁４１から半径方向内側に向かって突出するブリッジ９１を備える他の実施形態において、口金プラグ９０が示されている。更に、口金プラグ９０は、口金プラグ３１と比べて、凹部底部９２の周縁部４３に接続されているスリーブ状のショルダー９３に、底部床面９４の上方で内側のねじ山９５を備える。
【図１】
0006778831.tif 000002
【図２】
0006778831.tif 000003
【図３】
0006778831.tif 000004
【図４】
0006778831.tif 000005
【図５】
0006778831.tif 000006
【図６】
0006778831.tif 000007
【図７】
0006778831.tif 000008
【図８】
0006778831.tif 000009
【図９】
0006778831.tif 000010
【図１０】
0006778831.tif 000011
【図１１】
0006778831.tif 000012